(57)【要約】【課題】衝撃や水没の度合いに応じた適切なデータ保護を行うことができる携帯端末、及び携帯端末のデータ保護方法を提供する。【解決手段】携帯端末１では、加速度センサ１０１による加速度の検出と湿度センサ１０２，１０３による湿度の検出とを組み合わせることで、衝撃や水没によって内部メモリ３に故障が発生する危険度を精度良く判定することができる。また、携帯端末１では、危険度が「小」であると判定された場合には、内部メモリ３内のユーザデータを外部メモリ４に簡易に保存し、危険度が「大」であると判定された場合には、内部メモリ３内のユーザデータをネットワークＮ上の記憶サーバ２０に送信して確実なデータ保護を図っている。このように、判定された危険度の大小に応じてユーザデータの保存先を切り替えることにより、適切なデータ保護を行うことができる。【選択図】図２
2010258975.tif 000002
【特許請求の範囲】
【請求項１】
固定的に実装された内部メモリを筐体内に内蔵すると共に、前記内部メモリとは別体の外部メモリを着脱可能な携帯端末であって、
前記筐体に設けられた加速度センサ及び湿度センサと、
前記加速度センサによって検出された加速度と前記湿度センサによって検出された湿度とに基づいて、前記内部メモリに故障が発生する危険度の大小を判定する危険度判定手段と、
前記危険度判定手段によって前記内部メモリに故障が発生する前記危険度が小であると判定された場合に、前記内部メモリに記憶されているデータを前記外部メモリに記憶させる記憶制御手段と、
前記危険度判定手段によって前記内部メモリに故障が発生する前記危険度が大であると判定された場合に、前記内部メモリに記憶されているデータをネットワーク上の記憶サーバに送信するデータ送信手段とを備えたことを特徴とする携帯端末。
【請求項２】
前記湿度センサは、前記筐体の表面の湿度を検出する第１の湿度センサと、前記筐体の内部の湿度を検出する第２の湿度センサとによって構成されていることを特徴とする請求項１記載の携帯端末。
【請求項３】
固定的に実装された内部メモリを筐体内に内蔵すると共に、前記内部メモリとは別体の外部メモリを着脱可能な携帯端末のデータ保護方法であって、
危険度判定手段が、前記筐体に設けられた加速度センサ及び湿度センサによって検出された加速度及び湿度に基づいて、前記内部メモリに故障が発生する危険度の大小を判定するステップと、
記憶制御手段が、前記危険度判定手段によって前記内部メモリに故障が発生する前記危険度が小であると判定された場合に、前記内部メモリに記憶されているデータを前記外部メモリに記憶させるステップと、
データ送信手段が、前記危険度判定手段によって前記内部メモリに故障が発生する前記危険度が大であると判定された場合に、前記内部メモリに記憶されているデータをネットワーク上の記憶サーバに送信するステップとを備えたことを特徴とする携帯端末のデータ保護方法。
【発明の詳細な説明】
【技術分野】
【０００１】
本発明は、携帯端末及び携帯端末のデータ保護方法
【背景技術】
【０００２】
携帯端末が落下状態にあり、衝撃や着水による水没が生じるおそれがある場合には、携帯端末内のデータが消失しないように保護する必要がある。かかるデータ保護方法として、例えば特許文献１に記載のデータ保護方法がある。この従来のデータ保護方法では、携帯端末に設けられた加速度センサの検出プロファイルと、予め設定した落下プロファイルとを比較することによって携帯端末が落下状態にあるか否かを検出し、携帯端末が落下状態にあることが検出された場合に、必要なデータを不揮発性メモリに保存している。
【０００３】
また、この従来のデータ保護方法では、落下状態の検出後も加速度の測定を継続し、その減速度から携帯端末が着水したか否かを検出する。携帯端末が着水したことが検出された場合には、不揮発性メモリへのデータの保存を中止して、プログラムの暴走を防止している。
【先行技術文献】
【特許文献】
【０００４】
【特許文献１】特開２００８−４２４９５号公報
【特許文献２】特開２００６−２５４２０７号公報
【発明の概要】
【発明が解決しようとする課題】
【０００５】
上述した従来のデータ保護方法では、データ保存を行う不揮発性メモリが携帯端末内に内蔵されているので、衝撃や水没の度合いによっては不揮発性メモリ自体に不具合が生じ、確実なデータ保護が実現されないおそれがある。そこで、データ保護の確実性の観点から、衝撃や水没が生じることを検出した場合に、ネットワーク上のサーバにデータを送信する方法も考えられる。
【０００６】
しかしながら、衝撃や水没の度合いに関わらず毎回ネットワーク上のサーバにデータを送信すると、送信頻度が増大化し、ネットワークのリソースの浪費につながるおそれがある。この点に関し、上述した従来のデータ保護方法では、加速度のプロファイルに基づく衝撃の有無及び着水の有無のみを検出しているので、衝撃や水没の度合いを判定することは困難であった。
【０００７】
本発明は、上記課題の解決のためになされたものであり、衝撃や水没の度合いに応じた適切なデータ保護を行うことができる携帯端末、及び携帯端末のデータ保護方法を提供することを目的とする。
【課題を解決するための手段】
【０００８】
上記課題の解決のため、本発明に係る携帯端末は、固定的に実装された内部メモリを筐体内に内蔵すると共に、内部メモリとは別体の外部メモリを着脱可能な携帯端末であって、筐体に設けられた加速度センサ及び湿度センサと、加速度センサによって検出された加速度と湿度センサによって検出された湿度とに基づいて、内部メモリに故障が発生する危険度の大小を判定する危険度判定手段と、危険度判定手段によって内部メモリに故障が発生する危険度が小であると判定された場合に、内部メモリに記憶されているデータを外部メモリに記憶させる記憶制御手段と、危険度判定手段によって内部メモリに故障が発生する危険度が大であると判定された場合に、内部メモリに記憶されているデータをネットワーク上の記憶サーバに送信するデータ送信手段とを備えたことを特徴としている。
【０００９】
この携帯端末では、加速度センサによる加速度の検出と湿度センサによる湿度の検出とを組み合わせることで、衝撃や水没によって内部メモリに故障が発生する危険度を精度良く判定することができる。また、この携帯端末では、危険度が小であると判定された場合には、内部メモリのデータを外部メモリに簡易に保存し、危険度が大であると判定された場合には、内部メモリのデータをネットワーク上の記憶サーバに送信して確実なデータ保護を図っている。このように、判定された危険度の大小に応じてデータの保存先を切り替えることにより、適切なデータ保護を行うことができる。
【００１０】
また、湿度センサは、筐体の表面の湿度を検出する第１の湿度センサと、筐体の内部の湿度を検出する第２の湿度センサとによって構成されていることが好ましい。この場合、水分が筐体に浸入する状況を把握しやすくなるので、危険度の判定をより精度良く行うことができる。
【００１１】
また、本発明に係る携帯端末のデータ保護方法は、固定的に実装された内部メモリを筐体内に内蔵すると共に、内部メモリとは別体の外部メモリを着脱可能な携帯端末のデータ保護方法であって、危険度判定手段が、筐体に設けられた加速度センサ及び湿度センサによって検出された加速度及び湿度に基づいて、内部メモリに故障が発生する危険度の大小を判定するステップと、記憶制御手段が、危険度判定手段によって内部メモリに故障が発生する危険度が小であると判定された場合に、内部メモリに記憶されているデータを外部メモリに記憶させるステップと、データ送信手段が、危険度判定手段によって内部メモリに故障が発生する危険度が大であると判定された場合に、内部メモリに記憶されているデータをネットワーク上の記憶サーバに送信するステップとを備えたことを特徴としている。
【００１２】
この携帯端末のデータ保護方法では、加速度センサによる加速度の検出と湿度センサによる湿度の検出とを組み合わせることで、衝撃や水没によって内部メモリに故障が発生する危険度を精度良く判定することができる。また、この方法では、危険度が小であると判定された場合には、内部メモリのデータを外部メモリに簡易に保存し、危険度が大であると判定された場合には、内部メモリのデータをネットワーク上の記憶サーバに送信して確実なデータ保護を図っている。このように、判定された危険度の大小に応じてデータの保存先を切り替えることにより、適切なデータ保護を行うことができる。
【発明の効果】
【００１３】
本発明によれば、衝撃や水没の度合いに応じた適切なデータ保護を行うことができる。
【図面の簡単な説明】
【００１４】
【図１】本発明に係る携帯端末の一実施形態を示す斜視図である。
【図２】図１に示した携帯端末の機能的な構成要素を示すブロック図である。
【図３】危険度判定部における判定テーブルの一例を示す図である。
【図４】図１に示した携帯端末におけるデータ保護方法を示すフローチャートである。
【発明を実施するための形態】
【００１５】
以下、図面を参照しながら、本発明に係る携帯端末及び携帯端末のデータ保護方法の好適な実施形態について詳細に説明する。
【００１６】
図１は、本発明に係る携帯端末の一実施形態を示す斜視図である。図１に示す携帯端末１は、物理的には、ＣＰＵ（中央処理装置）、メモリといった記憶装置、プッシュボタン・マイク・カメラといった入力装置、ディスプレイといった表示装置等を有しており、音声通話機能・メール送受信機能といった各種の機能を搭載している。
【００１７】
携帯端末１は、筐体１０の内部に設置された実装基板（不図示）に固定的に実装されたＲＡＭ等の内部メモリ３に加えて、例えばチップ型のフラッシュメモリ等の外部メモリ４を着脱自在に着脱可能となっている。この携帯端末１は、上述した一般的機能のほか、内部メモリ３にデータ消失等の故障が発生するおそれのある状況下において、内部メモリ３内に格納される電話帳データ等のユーザデータを外部メモリ４或いはネットワークＮ上の記憶サーバ２０（図２参照）に瞬時に記憶させるデータ保護機能を搭載している。
【００１８】
図２は、データ保護機能を実現するための携帯端末１の機能的な構成要素を示すブロック図である。同図に示すように、携帯端末１は、機能的な構成要素として、加速度センサ１０１と、表層湿度センサ（第１の湿度センサ）１０２と、内部湿度センサ（第２の湿度センサ）１０３と、危険度判定部（危険度判定手段）１０４と、記憶制御部（記憶制御手段）１０５と、データ送信部（データ送信手段）１０６とを備えている。
【００１９】
加速度センサ１０１は、図１に示すように、例えばプッシュボタンの下方に設けられている。加速度センサ１０１は、筐体１０に生じる加速度を検出し、検出信号を危険度判定部１０４に出力する。表層湿度センサ１０２は、例えば十字キーの上方に設けられている。表層湿度センサ１０２は、筐体１０の表面の湿度を検出し、検出信号を危険度判定部１０４に出力する。また、内部湿度センサ１０３は、例えば筐体１０の内部において内部メモリ３の近傍に設けられている。内部湿度センサ１０３は、筐体１０の内部の湿度を検出し、検出信号を危険度判定部１０４に出力する。
【００２０】
危険度判定部１０４は、加速度センサ１０１によって検出された加速度と、表層湿度センサ１０２及び内部湿度センサ１０３によって検出された湿度とに基づいて、内部メモリ３に故障が発生する危険度の大小を判定する部分である。ここで、図３は、危険度判定部１０４における判定テーブルの一例を示す図である。この判定テーブルでは、内部メモリ３に故障が発生する要因として、落下による衝撃、及び筐体１０内への水分の浸入が想定されている。
【００２１】
同図に示す例において、加速度については、加速度センサ１０１によって検出された加速度が予め設定された閾値を超えたか否かを判断し、加速度が閾値を超えた場合には「反応あり：○」とし、加速度が閾値未満である場合には「反応なし：×」としている。
【００２２】
また、湿度については、表層湿度センサ１０２及び内部湿度センサ１０３によって検出された湿度が予め設定された閾値を超えたか否かを判断することに加えて、湿度が閾値を超えた場合にはその変化率が一定の閾値を超えたか否かを合わせて判断する。そして、湿度が一定以上の変化率で閾値を超えた場合には「急激に反応あり：○」とし、湿度が一定未満の変化率で閾値を超えた場合には「緩やかに反応あり：△」としている。また、湿度が閾値未満である場合には「反応なし：×」としている。
【００２３】
危険度判定部１０４は、図３（ａ）に示すように、加速度センサが「反応あり：○」である場合には、表層湿度センサ１０２及び内部湿度センサ１０３の少なくとも一方が「急激に反応あり：○」となった場合に、内部メモリ３に故障が発生する危険度が「大」であると判定し、それ以外の場合は、表層湿度センサ１０２及び内部湿度センサ１０３の両方が「反応なし：×」である場合も含めて、内部メモリ３に故障が発生する危険度が「小」であると判定する。
【００２４】
一方、危険度判定部１０４は、図３（ｂ）に示すように、加速度センサが「反応あり：×」である場合には、内部湿度センサ１０３が「急激に反応あり：○」となった場合に、内部メモリ３に故障が発生する危険度が大であると判定し、それ以外の場合であって表層湿度センサ１０２が「急激に反応あり：○」又は「緩やかに反応あり：△」であった場合には、内部メモリ３に故障が発生する危険度が「小」であると判定する。また、表層湿度センサ１０２及び内部湿度センサ１０３の両方が「反応なし：×」である場合には、危険度「無」と判定する。
【００２５】
危険度判定部１０４は、危険度が「小」であると判定した場合には、処理の実行を指示する指示情報を記憶制御部１０５に出力し、危険度が「大」であると判定した場合には、指示情報をデータ送信部１０６に出力する。また、危険度判定部１０４は、危険度が「無」であると判定した場合には、指示情報の出力を行わずに処理を終了する。
【００２６】
記憶制御部１０５は、内部メモリ３に記憶されているユーザデータの記憶先を制御する部分である。記憶制御部１０５は、危険度判定部１０４から指示情報を受けとった場合に、内部メモリ３に記憶されているユーザデータを読み出し、読み出したユーザデータを外部メモリ４に出力する。
【００２７】
データ送信部１０６は、内部メモリ３に記憶されているユーザデータを外部に送信する部分である。データ送信部１０６は、危険度判定部１０４から指示情報を受け取った場合に、内部メモリ３に記憶されているユーザデータを読み出し、読み出したユーザデータをネットワークＮ上の記憶サーバ２０に送信する。
【００２８】
続いて、上述した構成を有する携帯端末１の動作について説明する。図４は、携帯端末１におけるデータ保護方法を示すフローチャートである。
【００２９】
図４に示すように、携帯端末１では、まず、加速度センサ１０１による加速度の検出と、表層湿度センサ１０２及び内部湿度センサ１０３による湿度の検出とが行われる（ステップＳ０１）。次に、検出された加速度及び湿度に基づいて判定テーブルが参照され、内部メモリ３に故障が発生する危険度の判定が行われる（ステップＳ０２）。
【００３０】
ステップＳ０２において、危険度が「無」であると判定された場合には、特段の処理を行わずに終了となる。一方、危険度が「小」であると判定された場合には、内部メモリ３に記憶されているユーザデータが読み出され、外部メモリ４に記憶される（ステップＳ０３）。また、危険度が「大」と判定された場合には、内部メモリ３に記憶されているユーザデータが、ネットワークＮを介して記憶サーバ２０に送信される（ステップＳ０４）。
【００３１】
以上説明したように、携帯端末１では、加速度センサ１０１による加速度の検出と湿度センサ１０２，１０３による湿度の検出とを組み合わせることで、衝撃や水没によって内部メモリ３に故障が発生する危険度を精度良く判定することができる。また、携帯端末１では、危険度が「小」であると判定された場合には、内部メモリ３内のユーザデータを外部メモリ４に簡易に保存し、危険度が「大」であると判定された場合には、内部メモリ３内のユーザデータをネットワークＮ上の記憶サーバ２０に送信して確実なデータ保護を図っている。このように、判定された危険度の大小に応じてユーザデータの保存先を切り替えることにより、適切なデータ保護を行うことができる。
【００３２】
また、携帯端末１では、湿度センサとして、筐体１０の表面の湿度を検出する表層湿度センサ１０２と、筐体１０の内部の湿度を検出する内部湿度センサ１０３とが設けられており、さらに、表層湿度センサ１０２及び内部湿度センサ１０３によって検出された湿度が閾値を超えた場合に、その変化率が一定の閾値を超えたか否かを合わせて判断し、危険度の判定にあたって湿度センサ１０２，１０３の反応を段階的に判断している。このような処理により、例えば携帯端末１が水没したときのような急激な水分の浸入と、衣類のポケットなどに入れられた携帯端末１に汗等が付着したときのような緩やかな水分の浸入とを判別することが容易となるので、危険度の判定をより精度良く行うことができる。
【００３３】
本発明は、上記実施形態に限られるものではない。例えば加速度センサ１０１、表層湿度センサ１０２、及び内部湿度センサの設置位置は、携帯端末の形状や重量等に応じて適宜変更してもよい。また、外部メモリ４は、フラッシュメモリに限られず、他の不揮発性メモリであってもよい。さらに、危険度の判定の実行の有無に関わらず、一定の周期でユーザデータを記憶サーバに送信しておき、危険度が「大」と判定された場合に差分データのみを記憶サーバに送信するようにしてもよい。この場合、危険度が「大」と判定された場合に、迅速なデータ保護を行うことが可能となる。
【符号の説明】
【００３４】
１…携帯端末、３…内部メモリ、４…外部メモリ、１０…筐体、２０…記憶サーバ、１０１…加速度センサ、１０２…表層湿度センサ（第１の湿度センサ）、１０３…内部湿度センサ（第２の湿度センサ）、１０４…危険度判定部（危険度判定手段）、１０５…記憶制御部（記憶制御手段）、１０６…データ送信部（データ送信手段）、Ｎ…ネットワーク。
【図１】
2010258975.tif 000003
【図２】
2010258975.tif 000004
【図３】
2010258975.tif 000005
【図４】
2010258975.tif 000006